(57)【特許請求の範囲】
【請求項１】
第１のウレタンフォームからなるベースと、
前記ベースから突出して並設された複数の単位突出部であって、前記第１のウレタンフォームよりも反発弾性率が低い第２のウレタンフォームが前記第１のウレタンフォームに積層されて形成され、上面が前記第２のウレタンフォームからなる複数の単位突出部と、
前記ベースのうち前記単位突出部が設けられた領域とは異なる領域に形成され、かつ、前記上面から前記第１のウレタンフォームに向かい前記第１のウレタンフォームと前記第２のウレタンフォームとの境界を越えた前記第１のウレタンフォームに形成された溝底部であって、隣り合う前記単位突出部の少なくとも一部の間に介在し前記単位突出部を画定する溝底部と、
複数の前記単位突出部を含む複合突出部を有する構造体であって、前記複合突出部は、複数の前記単位突出部により輪郭が画定され角部を有する多角形状を有し、前記複合突出部に含まれる複数の前記単位突出部によって囲まれる基点を有し、前記溝底部が前記基点から前記角部に向かって配置される構造体と、を備える敷物。
【請求項２】
前記単位突出部は、前記第２のウレタンフォームと前記第１のウレタンフォームが重ねられて、前記第１のウレタンフォーム側が前記ベースの上面に貼り合わされ、
前記溝底部は、前記ベースにおける第１のウレタンフォームと、前記単位突出部における第１のウレタンフォームとの貼り合わせ面となっている請求項１に記載の敷物。
【請求項３】
前記多角形状は、六角形である請求項１又は２に記載の敷物。
【請求項４】
隣り合う前記単位突出部の一部を連結する連結部を有する請求項１ないし３のいずれかに記載の敷物。
【発明の詳細な説明】
【技術分野】
【０００１】
本発明は、弾性を有する敷物に関する。特に、ベッドの上に載置するマットレスやマットレスの上に載置するマットレストッパーを含む敷物に関する。
【背景技術】
【０００２】
従来、マットレスやマットレストッパーなどの寝具は、寝心地が重視されている。このため、仰臥位の耐圧分散性を考量して、マットレスやマットレストッパーの表面に複数の突起部を形成し、突起部の各々で使用者の身体を支持していた。
【先行技術文献】
【特許文献】
【０００３】
【特許文献１】実用新案登録第３１４２１４１号
【特許文献２】実開昭６４−４１６２
【特許文献３】特開２００４−１６６０２
【特許文献４】実用新案登録第３１２３１２８号
【発明の概要】
【発明が解決しようとする課題】
【０００４】
上述したように、従来のマットレスやマットレストッパーでは、仰臥位などの静止した状態での耐圧分散性を考慮していた。このため、使用者が寝返りをうったときなどでは、突起部の間に形成されている溝に身体の一部が嵌まり込むなどし、仰臥位以外の静止状態や寝返りをうったときなどの動的な状態などでは十分に身体を支持することが困難であった。
【０００５】
本発明は、上述の点に鑑みてなされたものであり、その目的とするところは、静的な状態だけでなく、寝返りをうったときなどの動的な状態でも十分に身体を支持できる敷物を提供することにある。
【課題を解決するための手段】
【０００６】
本発明による敷物の実施態様は、
弾性を有する基部と、
前記基部から突出し並設され弾性を有する複数の単位突出部と、
前記基部のうち前記単位突出部が設けられた領域とは異なる領域に形成された溝底部であって、隣り合う前記単位突出部の少なくとも一部の間に介在し前記単位突出部を画定する溝底部と、
複数の前記単位突出部を含む複合突出部を有する構造体であって、前記複合突出部は、複数の前記単位突出部により輪郭が画定され角部を有する多角形状を有し、前記複合突出部に含まれる複数の前記単位突出部によって囲まれる基点を有し、前記溝底部が前記基点から前記角部に向かって配置される構造体と、を備える。
【０００７】
構造体は、複数の単位突出部を含む複合突出部を有する。複合突出部は、多角形状の形状を有し、多角形状は、角部を有するとともに、複数の単位突出部により輪郭が画定される。さらに、構造体は基点を有する。基点は、複合突出部に含まれる複数の単位突出部によって囲まれる。溝底部が基点から角部に向かって配置される。
【０００８】
このように溝底部を基点から角部に向かって配置したので、溝底部を挟んで隣り合う単位突出部が互いに近づくように変形できる空間を確保でき、単位突出部の全体が変形できるようにして、身体の突出部が接触したときにその部分の沈み込みを大きくして、寝返りをうったときなどでも身体の突出部を包み込むように支持することができる。
【発明の効果】
【０００９】
使用者が寝返りをうったときなどの動的な状態でも十分に身体を支持できる。
【図面の簡単な説明】
【００１０】
【図１】第１の実施の形態によるマットレストッパー１００の全体を示す斜視図である。
【図２】マットレストッパー１００の全体を示す平面図である。
【図３】図２のＡ−Ａ’及びＢ−Ｂ’の拡大平面図である。
【図４】図３のＣ−Ｃ方向から見た拡大断面図（図４Ａ）と、図３のＤ−Ｄ方向から見た拡大断面図（図４Ｂ）とである。
【図５】特定の複合突出部１７０Ｓを構成する６個の突出部１２０Ｓが、接触体Ｃによって押圧されたときに、突出部１２０Ｓが変形する過程を示す斜視図である。
【図６】特定の複合突出部１７０Ｓを構成する６個の突出部１２０Ｓが、接触体Ｃによって押圧されたときに、突出部１２０Ｓが変形する過程を示す断面図である。
【図７】図３又は図１０のＥ−Ｅ方向から見た拡大断面図であり、特定の複合突出部１７０Ｓを構成する６個の突出部１２０Ｓが、接触体Ｃによって押圧されたときに、突出部１２０Ｓが変形する過程を示す拡大断面図である。
【図８】第２の実施の形態によるマットレストッパー２００の全体を示す斜視図である。
【図９】マットレストッパー２００の全体を示す平面図である。
【図１０】図９のＡ−Ａ’及びＢ−Ｂ’の拡大平面図である。
【図１１】図１０のＣ−Ｃ方向から見た拡大断面図（図１１Ａ）と、図１０のＤ−Ｄ方向から見た拡大断面図（図１１Ｂ）とである。
【図１２】特定の複合突出部２７０Ｓを構成する６個の突出部２２０Ｓが、接触体Ｃによって押圧されたときに、突出部２２０Ｓが変形する過程を示す斜視図である。
【図１３】その他の実施の形態を示す平面図である。
【図１４】その他の実施の形態を示す平面図である。
【発明を実施するための形態】
【００１１】
＜＜＜本実施の形態の概要＞＞＞
本実施の形態による敷物は、主に、マットレスやマットレストッパーである。マットレストッパーは、マットレスの上に敷いてクッション性を高める敷物である。なお、本実施の形態の特徴を有して身体を支えるものであれば、マットレスやマットレストッパーなどに限られずソファや座布団などの敷物でもよい。以下では、単にマットレストッパーと称する。
【００１２】
本発明の第１の実施態様によれば、
弾性を有する基部（例えば、後述するベース１１０など）と、
前記基部から突出し並設され弾性を有する複数の単位突出部（例えば、後述する突出部１２０及び２２０など）と、
前記基部のうち前記単位突出部が設けられた領域とは異なる領域に形成された溝底部であって、隣り合う前記単位突出部の少なくとも一部の間に介在し前記単位突出部を画定する溝底部（例えば、後述する溝底部１４０及び２４０など）と、
複数の前記単位突出部を含む複合突出部（例えば、後述する複合突出部１７０及び２７０など）を有する構造体であって、前記複合突出部は、複数の前記単位突出部により輪郭が画定され角部（例えば、後述する角部１７２及び２７２など）を有する多角形状（例えば、六角形など）を有し、前記複合突出部に含まれる複数の前記単位突出部によって囲まれる基点（例えば、後述する基点１６０及び２６０など）を有し、前記溝底部が前記基点から前記角部に向かって配置される構造体と、を備える敷物が提供される。
【００１３】
第１の実施態様による敷物は、基部と複数の単位突出部と溝底部と構造体とを備える。基部は、弾性を有し弾性変形することができる。また、基部の形状は平坦な形状にすることができる。
【００１４】
複数の単位突出部は、基部から突出する。複数の単位突出部の各々は、基部に並設されている。複数の単位突出部の各々は弾性を有する。
【００１５】
溝底部は基部に形成されている。溝底部が形成されている領域は、単位突出部が設けられた領域とは異なる領域である。溝底部は、隣り合う単位突出部の少なくとも一部の間に介在する。溝底部によって単位突出部が画定される。
【００１６】
溝底部が、隣り合う単位突出部の間の全てに亘って形成されている場合には、溝底部は連通する。一方、隣り合う単位突出部の間の一部で溝底部が形成されていない場合には、後述する連結部を有する。連結部を有する場合には、溝底部は非連通になる。
【００１７】
構造体は複合突出部を有する。複合突出部は、複数の単位突出部によって構成される。複合突出部は、角部を有する多角形状を有する。多角形状の輪郭は、複数の単位突出部の最外周を結ぶことによって画定される。多角形状の輪郭は、直線によって構成されている場合に限られず曲線によって構成されてもよい。
【００１８】
構造体は基点を有する。基点は、複合突出部の内側に位置する仮想的な点である。基点は、複合突出部に含まれる複数の単位突出部によって囲まれる。具体的には、基点は、複数の単位突出部の全てによって囲まれた点であればよい。例えば、基点は、複合突出部の中心や重心などにすることができる。溝底部が基点から角部に向かって配置される。
【００１９】
溝底部を基点から角部に向かって配置することで、溝底部を挟んで隣り合う単位突出部を離隔することができ、単位突出部が変形できる空間を確保できる。肩や肘などの身体の一部によって単位突出部の一部が押圧されると、単位突出部は圧縮変形し、圧縮変形が単位突出部の他の部分に伝わって、溝底部を挟んで隣り合う単位突出部が互いに近づくように変形する場合がある。単位突出部が互いに近づくように変形することで、圧縮変形に応じて単位突出部の全体が変形でき、肩や肘などの身体の突出部が接触したときにその部分の沈み込みを大きくして、寝返りをうったときなどでも身体の突出部を包み込むように支持することができる。このように、基点から角部に向かって溝底部を配置することで、単位突出部が十分に変形できる空間を確保し、単位突出部の全体を変形させることによって、寝返りをうったときなどでも十分に身体を支持することができる。
【００２０】
なお、本発明の第１の実施態様として、
弾性を有する基部と、
前記基部から突出し並設され弾性を有する複数の単位突出部と、
前記基部のうち前記単位突出部が設けられた領域とは異なる領域に形成された溝底部であって、隣り合う前記単位突出部の少なくとも一部の間に介在し前記単位突出部を画定する溝底部と、
複数の前記単位突出部を含む複合突出部を有する構造体と、を備え、
前記複合突出部は、複数の前記単位突出部により輪郭が画定され角部を有する多角形状を有し、
前記複合突出部に含まれる複数の前記単位突出部によって囲まれる基点を有し、
前記溝底部が前記基点から前記角部に向かって配置される敷物とすることもできる。
【００２１】
本発明の第２の実施態様は、本発明の第１の実施態様において、
前記単位突出部は、前記溝底部に立設された側面部（例えば、後述する側面１２４及び２２４など）と前記側面部と所定の角度で接続され平坦な上面部（例えば、後述する上面１２２、２２２など）とを有し、
前記単位突出部の変形に応じて前記溝底部と前記側面部となす角度（例えば、後述する角度θ１及びθ２や角度Θ１及びΘ２など）が変化するように構成される。
【００２２】
単位突出部は、側面部と上面部とを有する。側面部は溝底部に立設されている。上面部は、側面部と所定の角度で接続されている。さらに、上面部は平坦な形状を有する。
【００２３】
さらに、単位突出部は、柱状体の形状を有するのが好ましい。柱状体の形状を有する場合に、上面部は、柱状体の２つの底面のうちの一方に対応する。単位突出部は、柱状体に限られず、錐台状の立体的形状などでもよい。上面部は、肩や肘などの身体の一部からの荷重を受ける部分であり、肩や肘などの身体の一部からの荷重を受ける面が形成されていればよい。単位突出部は、肩や肘などの身体の一部からの荷重を受けると弾性変形し、弾性変形したときに身体の一部の沈み込みが大きくなるものが好ましい。
【００２４】
単位突出部の変形に応じて溝底部と側面部となす角度が変化するので、単位突出部の側面部の近くでは剪断変形させやすくできる。身体の一部によって単位突出部が押圧されて生ずる圧縮変形を剪断変形に変換することで、単位突出部の全体を変形させて、寝返りをうったときなどでも十分に身体を支持することができる。
【００２５】
本発明の第３の実施態様は、本発明の第２の実施態様において、
前記溝底部は、
前記基点から前記角部に向かって配置された第１種の溝底部（例えば、後述する第１種の溝底部１４０Ａ及び２４０Ａなど）と、
前記複合突出部の輪郭に沿って配置された第２種の溝底部（例えば、後述する第２種の溝底部１４０Ｂ及び２４０Ｂなど）と、を有し、
前記単位突出部が前記基点を中心に押圧されたときに、
前記第１種の溝底部と前記第１種の溝底部に立設された側面部となす角度（例えば、後述する角度Θ１及びΘ２など）が小さくなり、
前記第２種の溝底部と前記第２種の溝底部に立設された側面部となす角度（例えば、後述する角度θ１及びθ２など）が大きくなるように構成される。
【００２６】
溝底部は、第１種の溝底部と第２種の溝底部とを有する。第１種の溝底部は、溝底部のうち、基点から角部に向かって配置された溝底部である。第１種の溝底部は、基点から角部までに亘って全てに形成されている必要はなく、基点から角部に向かう方向に形成されていればよく、基点から角部に向かう方向の少なくとも一部に溝底部が形成されていればよい。
【００２７】
第２種の溝底部は、溝底部のうち、複合突出部の輪郭に沿って配置された溝底部である。第２種の溝底部は、複合突出部の輪郭の全てに沿って形成されている必要はなく、複合突出部の輪郭に沿った少なくとも一部に溝底部が形成されていればよい。
【００２８】
単位突出部は、肩や肘などの身体の一部によって押圧されると弾性変形する。単位突出部における複合突出部の基点付近が押圧されたときに、第１種の溝底部と第１種の溝底部に立設された側面部となす角度は小さくなる。また、単位突出部における複合突出部の基点付近が押圧されたときに、第２種の溝底部と第２種の溝底部に立設された側面部となす角度は大きくなる。
【００２９】
第１種の溝底部と第１種の溝底部に立設された側面部となす角度が小さくなる第１種の剪断変形と、第２種の溝底部と第２種の溝底部に立設された側面部となす角度が大きくなる第２種の剪断変形との２種類の剪断変形を生じさせることができる。単位突出部が押圧されて生ずる圧縮変形を第１種の剪断変形と第２種の剪断変形とに変換するので、単位突出部の全体を変形させることができ、単位突出部に生じた歪みを十分に吸収することができる。
【００３０】
本発明の第４の実施態様は、本発明の第１の実施態様において、
前記多角形状が六角形であるように構成される。
【００３１】
上面部の形状を三角形にすることで、単位突出部を三角柱状の形状にすることができ、多角形状を六角形にできる。多角形状を六角形とすることで、複合突出部の輪郭は、六角形となる。特に、上面部の形状を正三角形にし、多角形状を正六角形にするのが好ましい。様々な方向から押圧される力に対応して弾性変形することができる。
【００３２】
本発明の第５の実施態様は、本発明の第４の実施態様において、
隣り合う前記単位突出部の一部を連結する連結部（例えば、後述する連結部２２６など）を有するように構成される。
【００３３】
連結部は、隣り合う単位突出部の一部を連結する。例えば、溝底部の一部に連結部を形成して溝底部を埋めるような形状にすることで隣り合う単位突出部の一部を連結することができる。連結部の存在により、隣り合う単位突出部の領域では、基点から角部までの間に、溝底部が形成された箇所と形成されていない箇所とが存在する。溝底部が形成されていない箇所が連結部である。
【００３４】
上述したように、第１種の溝底部では、基点から角部に向かう方向に溝底部が形成されていればよく、連結部が形成された場合であっても、基点から角部に向かう方向に少なくとも一部の溝底部が形成されていればよい。
【００３５】
以下に、実施の形態について図面に基づいて説明する。
【００３６】
＜＜＜第１の実施の形態＞＞＞
図１は、第１の実施の形態によるマットレストッパー１００の全体を示す斜視図である。図２は、マットレストッパー１００の全体を示す平面図である。図３は、図２に示したＡ−Ａ’及びＢ−Ｂ’部分の拡大平面図である。図４は、図３に示したＣ−Ｃの拡大断面図（図４Ａ）及びＤ−Ｄの拡大断面図（図４Ｂ）である。以下では、図１〜図４を参照して、マットレストッパー１００の構成を説明する。
【００３７】
マットレストッパー１００は、ベッドに設けられるマットレス（図示せず）の上面に載置される。なお、第１の実施の形態によるマットレストッパー１００では、３枚のマットレストッパー１００をマットレスの上面に並べて置くことでマットレスの全面をマットレストッパー１００で覆うことができる。
【００３８】
図１及び図４に示すように、マットレストッパー１００は、第１のウレタンフォームＵ１及び第２のウレタンフォームＵ２の２種類によって一体的に形成されている。マットレストッパー１００の下側が第１のウレタンフォームＵ１で構成され、マットレストッパー１００の上側が第２のウレタンフォームＵ２で構成されている。
【００３９】
第２のウレタンフォームＵ２は低反発弾性フォームからなり、第１のウレタンフォームＵ１は第２のウレタンフォームＵ２よりも反発弾性率が高い中反発弾性フォームからなる。後述するベース１１０は第１のウレタンフォームＵ１で構成される。突出部１２０は、下部を第１のウレタンフォームＵ１で構成され、上部を第２のウレタンフォームＵ２で構成される。
【００４０】
なお、マットレストッパー１００の全体を単一種類のウレタンフォームで形成してもよい。また、弾性を有し寝心地をよくする材料であればウレタンフォームに限られない。また、多孔質で熱を透過できるものが好ましい。
【００４１】
＜ベース１１０＞
ベース１１０は、平坦な形状で薄板状の直方体の形状を有する。ベース１１０は、上面１１２及び下面１１４を有する（図４Ａ及び図４Ｂ参照）。なお、図４Ａ及び図４Ｂに示すように、ベース１１０の上面１１２を破線で示した。ベース１１０の上面１１２は、後述する突出部１２０と溝底部１４０とを有する。第１の実施の形態では、溝底部１４０は、第１のウレタンフォームＵ１に形成されており、ベース１１０の上面１１２は、第１のウレタンフォームＵ１と第２のウレタンフォームＵ２との境界面Ｂとは一致しない。ベース１１０の下面１１４は、平坦な形状に形成され、マットレス（図示せず）やベッドの床板などの上面（図示せず）に載せられる。
【００４２】
＜突出部１２０＞
図１や図５に示すように、突出部１２０は、三角柱状の形状を有する。突出部１２０の高さは低く、突出部１２０は、全体として、平坦な形状で薄板状の形状を有する。図４に示すように、突出部１２０は、上面１２２と側面１２４とを有する。上面１２２は正三角形状の形状を有する。突出部１２０の高さは、正三角形状の上面１２２の一辺よりも短い。突出部１２０の高さを短くすることで、変形の程度を抑制して安定して変形させることができる。
【００４３】
図１及び図２に示すように、突出部１２０は、ベース１１０の上面１１２の全面に亘って形成されている。複数の突出部１２０がベース１１０に並設されている。ベース１１０で、突出部１２０は、複数の列Ｌ１〜Ｌ８に沿って配置されている。同じ列では、突出部１２０の底辺から頂点に向かう向きが交互に反転するように、突出部１２０は配置されている。例えば、図２に示す例では、列Ｌ１〜Ｌ８の各々の列では、突出部１２０の底辺から頂点に向かう向きは、上向きと下向きとの交互に反転する。
【００４４】
上述したように、突出部１２０の下部は、第１のウレタンフォームＵ１で構成され、上部は第２のウレタンフォームＵ２で構成される。突出部１２０が変形するときには、ゆっくりと変形するとともに、ゆっくりと復元することができる。後述するように、突出部１２０の変形は、主に圧縮変形であるが、圧縮変形に応じて部分的に剪断変形や膨張変形する箇所もある。また、突出部１２０は、三角柱状の形状に限られず他の多角形状の形状でもよい。
【００４５】
＜上面１２２＞
図２及び図３などに示すように、突出部１２０の上面１２２は、平坦な面で正三角形の形状を有する。上面１２２は、正三角形である必要はなく、例えば、二等辺三角形でもよい。また、上面１２２の各辺は、直線である必要はなく曲線で構成されてもよい。
【００４６】
上面１２２に力が加えられていないときには、平坦な形状で正三角形の形状を有する。上面１２２は、力が加えられると変形する。上面１２２は、押圧されたときに、上面１２２に接触する物体の形状や押圧する力などに応じて変形する。
【００４７】
上述したように、複数の突出部１２０が、ベース１１０の上面１１２の全面に亘って形成されており、複数の突出部１２０の上面１２２によってマットレストッパー１００の全体的な上面をなす。上面１２２は、人の身体を支える面であり、変形したときに身体と接触する面積が大きければ安定的に身体を支えることができる。上面１２２は、身体の形状に応じて弾性変形し、身体の突出部での沈み込みを大きくできる。
【００４８】
＜側面１２４＞
図３などに示すように、側面１２４は、柱体である突出部１２０の側面である。突出部１２０は三角柱状の形状を有し、側面１２４は３つある。３つの側面１２４の各々は長方形状の形状を有する。側面１２４は、平坦な面であり、ベース１１０に突設（立設）されている。なお、突出部１２０がおおよそ柱状体の形状であればよく、側面１２４の各々は、平坦な長方形である場合に限られず湾曲した曲面によって構成されてもよい。
【００４９】
上面１２２に力が加えられていないときには、突出部１２０は、自然状態で三角柱状の形状であり、３つの側面１２４は平坦で長方形状の形状を有する。上面１２２に力が加えられていない状態では、３つの側面１２４の各々と上面１２２とのなす角は直角である。
【００５０】
上面１２２に力が加えられたときには、３つの側面１２４は変形する。例えば、上面１２２が押圧されたときには、突出部１２０は主に圧縮変形する。上面１２２に力が加えられたときには、突出部１２０の変形に応じて、３つの側面１２４の各々と上面１２２とのなす角は直角以外の角度になることができる。
【００５１】
＜頂点１２６＞
図３に示すように、頂点１２６は、突出部１２０の上面１２２の頂点である。突出部１２０は三角柱などの多角形柱状の形状を有し、１つの突出部１２０で隣接する２つの側面１２４が接する辺（屈曲する部分に沿った辺）が突出部１２０の頂点となる。頂点１２６は、１つの突出部１２０で３つある。
【００５２】
＜溝１３０＞
図１、図２、図３及び図４などに示すように、溝１３０は、細長く長尺な直線状の領域である。溝１３０は、隣り合って離隔する２つの突出部１２０の間に形成される領域であり、隣接する２つの突出部１２０の間に介在する領域である。溝１３０の外形は、突出部１２０の形状に応じて規定され、直線状の形状だけでなく曲線状の形状でもよい。溝１３０は、隣り合う２つの突出部１２０の側面に挟まれる領域である。
【００５３】
図１及び図２に示すように、溝１３０は、マットレストッパー１００の全体に亘って形成されている。図２に示すように、溝１３０は、水平方向に沿って形成された溝１３０ａと、水平方向に対して６０度をなして形成された溝１３０ｂと、水平方向に対して１２０度をなして形成された溝１３０ｃとがある。溝１３０ａ、１３０ｂ及び１３０ｃは、形成された向きが異なるだけで構成は同じである。以下では、単に溝１３０と称する。
【００５４】
溝１３０の幅は、隣り合う２つの突出部１２０の側面１２４の間隙の長さによって定まる。溝１３０の幅は突出部１２０の変形によって変化する。突出部１２０が変形していないときには、自然状態であり、隣り合う突出部１２０の側面１２４は平行であり、溝１３０の幅は一定となる。また、突出部１２０が変形しているときには、溝１３０の幅は、変形の状態や度合いに応じて変化する。
【００５５】
溝１３０の幅は、自然状態で一定である場合に限られず、突出部１２０の側面１２４の形状に応じて溝１３０の幅が異なる形状でもよい。例えば、徐々に広がったり狭まったりする形状でもよい。
【００５６】
溝１３０の深さは、突出部１２０の高さである。すなわち、溝１３０の深さは、突出部１２０の側面の高さによって定まる。溝１３０の深さも、突出部１２０の変形によって変化する。突出部１２０が変形していないときには、自然状態であり、溝１３０の深さは、一定である。また、突出部１２０が変形しているときには、溝１３０の深さは、変形の状態や度合いに応じて変化する。突出部１２０が圧縮されると、突出部の側面が収縮し溝の深さは短くなる。
【００５７】
溝１３０の深さは、自然状態で一定である場合に限られず、突出部１２０の形状やマットレストッパーに形成された位置などに応じて深さが異なったり徐々に変化したりするようにしてもよい。
【００５８】
図４Ａ及び図４Ｂに示すように、溝１３０は、第２のウレタンフォームＵ２だけでなく、第１のウレタンフォームＵ１に達するまで形成されている。突出部１２０の上面１２２から下面１１４に向かって第１のウレタンフォームＵ１と第２のウレタンフォームＵ２との境界面Ｂを通過するまで形成されている。溝１３０の深さは、必ずしも境界面Ｂを通過する必要はなく、境界面Ｂまでであってもよく、境界面Ｂの手前までであってもよい。第１のウレタンフォームＵ１及び第２のウレタンフォームＵ２の変形のし易さに応じて溝１３０の深さを決定すればよい。
【００５９】
溝１３０は、隣り合う突出部１２０が、変形する際に互いに近づいたり離れたりし易くするための緩衝領域である。溝１３０を設けたことにより、身体の形状や体重などに応じて突出部１２０を十分に変形させることができる。詳しくは、後述する。
【００６０】
溝１３０の側面は、隣り合う突出部１２０の側面である。向かい合う２つの側面１２４によって溝１３０の側面が構成される。すなわち、隣り合う２つの第１の突出部１２０及び第２の突出部１２０の間に介在する溝１３０の側面は、第１の突出部１２０の第１の側面１２４及び第２の突出部１２０の第２の側面１２４である。第１の突出部１２０の第１の側面１２４と第２の突出部１２０の第２の側面１２４との間隔によって溝１３０の幅が定まる。
【００６１】
＜溝底部１４０＞
図４Ａ及び図４Ｂに示すように、溝底部１４０は、溝１３０の底の部分であり、ベース１１０の一部である。溝底部１４０は、隣り合う突出部１２０の側面１２４によって挟まれたベース１１０の一部の領域であり、互いに向かい合う側面１２４の間の領域によって画定される。すなわち、側面１２４は、溝底部１４０（ベース１１０）に突設（立設）される。
【００６２】
突出部１２０が押圧されたときには、突出部１２０の変形が伝達して溝底部１４０も変形する場合がある。溝底部１４０の変形は、ベース１１０をなす第１のウレタンフォームＵ１の変形である。突出部１２０が圧縮変形されてベース１１０に変形が伝達された場合には、ベース１１０も圧縮変形する。
【００６３】
図４Ａ及び図４Ｂに示すように、溝底部１４０と側面１２４とが接触する辺を溝底辺１４２と称する。突出部１２０に力が加えられていない自然状態では、溝底部１４０と側面１２４とのなす角は直角である。後述するように、突出部１２０に力が加えられた状態では、側面１２４が溝底辺１４２で屈曲し、溝底部１４０と側面１２４とのなす角が、直角とは異なる角度になることができる。突出部１２０が圧縮変形されると、側面１２４が溝底辺１４２で屈曲して変形し、溝底部１４０と側面１２４との間が広がった場合には、溝底部１４０と側面１２４とのなす角は直角よりも大きくなる。また、突出部１２０が圧縮されて側面１２４が傾いて、溝底部１４０と側面１２４との間が狭まった場合には、溝底部１４０と側面１２４とのなす角は直角よりも小さくなる。
【００６４】
＜隣り合う突出部１２０と溝１３０との関係＞
上述したように、第１の実施の形態では、隣り合う突出部１２０は溝１３０を介して形成されている。第１の実施の形態の隣り合う突出部１２０は、全て非連結状態である。言い換えれば、第１の実施の形態では、全ての溝１３０は連通している。なお、後述するように、第２の実施の形態では、隣り合う突出部１２０の一部が連結しており、全ての溝１３０は連通しておらず、非連通の箇所が存在する。
【００６５】
＜基点１６０＞
図３に示すように、放射状に広がる６本の溝１３０（後述する第１種の溝底部１４０Ａに対応）は１つの基点１６０を中心にして配置される。言い換えれば、放射状に広がる６本の溝１３０は１つの基点１６０に向かって配置される。全ての溝１３０が連通する場合には、放射状に広がる６本の溝の全てが基点１６０まで到達し交差する。このように、６本の溝１３０は、基点１６０を中心にして放射状に広がるように配向する。
【００６６】
＜複合突出部１７０＞
上述したように、放射状に広がる６本の溝１３０は、基点１６０を中心にして配向する。同様に、放射状に広がる６本の溝の各々を挟む突出部１２０も基点１６０を中心に配置されている。基点１６０を中心に周回する６個の突出部１２０を一組にして複合突出部１７０が構成される（図３に示す六角形の破線参照）。
【００６７】
複合突出部１７０に含まれる６個の突出部１２０の各々の上面１２２は正三角形の形状を有し、正三角形の３つの頂点のうちの１つの頂点が基点１６０に向かう。複合突出部１７０に含まれる突出部１２０の上面１２２の正三角形の３つの辺のうちの基点１６０から最も離れた外側の辺を辺ＯＬと称する。複合突出部１７０の輪郭は、複合突出部１７０に含まれる６個の突出部１２０の辺ＯＬを仮想的に連結して画定される。複合突出部１７０は、６つの角部１７２を有する六角形状の形状を有する。なお、図３では、明確にするために、複合突出部１７０を示す六角形の破線を、辺ＯＬから離隔して示した。
【００６８】
敷物としての複合突出部１７０の大きさは、基点１６０を中心として人の拳が収まる程度の大きさが好ましい。この大きさが、身体の肩や肘、膝などの突出した部分を包み込むように支えるのに最適である。したがって、実施例の複合突出部１７０の大きさは、対角寸法が１００〜２００ｍｍが好ましい寸法となっている。
【００６９】
＜角部１７２＞
複合突出部１７０の角部１７２は、複合突出部１７０に含まれ隣り合う２つの突出部１２０の外側の辺ＯＬを仮想的に連結することで生ずる箇所であり、屈曲する箇所である。このように、角部１７２は仮想的な屈曲点である
【００７０】
複合突出部１７０の隣り合う２つの突出部１２０の間に存在する溝１３０（後述する第１種の溝底部１４０Ａに対応）が基点１６０から複合突出部１７０の角部１７２に向かう。すなわち、複合突出部１７０に含まれる６本の溝１３０は、全て、基点１６０から複合突出部１７０の角部１７２に向かう。後述するように、複合突出部１７０に含まれる６つの突出部１２０が圧縮変形されたときには、溝底辺１４２で折れ曲がって突出部１２０が変形することができる（図７参照）。複合突出部１７０に含まれる突出部１２０の数又は溝１３０の数によって複合突出部１７０の角部１７２の数が決定される。
【００７１】
＜第１種の溝底部１４０Ａ及び第２種の溝底部１４０Ｂ＞
マットレストッパー１００には多数の突出部１２０が形成され、６個の突出部１２０からなる複合突出部１７０も複数の組み合わせがある。図３に示すように、複数の複合突出部１７０のうちのある１つの複合突出部１７０（以下、特定の複合突出部１７０Ｓと称する。）に着目した場合に、溝底部１４０を、第１種の溝底部１４０Ａ及び第２種の溝底部１４０Ｂに分類することができる。また、以下では、特定の複合突出部１７０Ｓに含まれる６個の突出部１２０の各々を突出部１２０Ｓと称する（図３参照）。
【００７２】
第１種の溝底部１４０Ａは、特定の複合突出部１７０Ｓに含まれる基点１６０（以下、基点１６０Ｓと称する。）から角部１７２（以下、角部１７２Ｓと称する。）に向かって配置される溝底部１４０である。すなわち、第１種の溝底部１４０Ａは、複合突出部１７０Ｓの基点１６０Ｓから角部１７２Ｓに放射状に向かう６本の溝底部１４０である。
【００７３】
第２種の溝底部１４０Ｂは、複合突出部１７０Ｓの輪郭に沿って配置される溝底部１４０である。すなわち、おおよそ六角形状の複合突出部１７０Ｓの輪郭に沿って配置された６本の溝底部１４０である。
【００７４】
＜突出部１２０の変形（マットレストッパー１００に身体が載置されたとき）＞
図５は、特定の複合突出部１７０Ｓを構成する６個の突出部１２０Ｓが、接触体Ｃによって押圧されたときに、突出部１２０Ｓが変形する過程を示す斜視図である。図６は、特定の複合突出部１７０Ｓを構成する６個の突出部１２０Ｓが、接触体Ｃによって押圧されたときに、突出部１２０Ｓが変形する過程を示す断面図である。図７は、特定の複合突出部１７０Ｓを構成する６個の突出部１２０Ｓが、接触体Ｃによって押圧されたときに、突出部１２０Ｓが変形する過程を示す拡大断面図である。なお、図７は、図３（後述する図１０）のＥ−Ｅ方向から見た拡大断面図であり、主に、隣り合う２つの突出部１２０の外側の辺ＯＬに沿って示す突出部１２０の拡大断面図である。
【００７５】
図５Ａ及び図５Ｂにおいて、破線ＣＬ１の内側の領域が、複合突出部１７０Ｓの内側の領域ＡＩを示し、破線ＣＬ１及びＣＬ２に挟まれた領域が、複合突出部１７０Ｓの中間の領域ＡＭを示し、破線ＣＬ２の外側の領域が、複合突出部１７０Ｓの外側の領域ＡＯを示す。
【００７６】
以下では、図５で示すように、特定の複合突出部１７０Ｓの基点１６０Ｓの直上から接触体Ｃを押圧した場合について説明する。接触体Ｃは、身体の一部であり、肩は肘などであるが、これらに限られず、マットレストッパー１００を押圧する身体の一部であればよい。
【００７７】
身体がマットレスに載置されたときには、複数の突出部１２０Ｓは押圧され変形が生ずる。特定の複合突出部１７０Ｓを構成する６個の突出部１２０Ｓは、基点１６０Ｓを中心に対称的に配置されている。したがって、図５Ｂに示すように、基点１６０Ｓを中心に押圧された場合には、６個の突出部１２０Ｓの各々は、基点１６０Ｓを中心にして対称的に同様の変形をする。以下では、簡易化のため、基点１６０Ｓを中心にして６個の突出部１２０Ｓを押圧する場合を説明する。
【００７８】
＜押圧されていないとき（変形していないとき）＞
突出部１２０Ｓは、押圧されていないときには、自然状態で変形していない。したがって、突出部１２０Ｓが押圧されていないときには、図５Ａ、図６Ａ及び図７Ａに示すように、突出部１２０Ｓの上面１２２は平坦な形状でかつ水平面となる。
【００７９】
＜軽く押圧されているとき（小さく変形しているとき）＞
図６Ｂに示すように、まず、接触体Ｃ（身体の一部など）によって複合突出部１７０Ｓの突出部１２０Ｓが軽く押圧された状態では、接触体Ｃは、内側の領域ＡＩのみに接触する。この状態では、接触体Ｃが接触している内側の領域ＡＩが、接触体Ｃの外形に応じて圧縮変形する。この状態では、図６Ｂに示すように、突出部１２０Ｓ（第２のウレタンフォームＵ２）のみが圧縮変形し、ベース１１０（第１のウレタンフォームＵ１）は変形しない。
【００８０】
また、突出部１２０Ｓの外側の領域ＡＯの上面１２２は、図６Ｂの白抜きの矢印で示すように、接触体Ｃ（基点１６０Ｓ）に向かって水平方向に変位しつつ水平面の状態を維持している。突出部１２０Ｓの外側の領域ＡＯは、水平方向に変位しつつ変形（剪断変形）する。突出部１２０Ｓの上面１２２の中間の領域ＡＭは、外側の領域ＡＯから内側の領域ＡＩに向かって緩やかに傾いて変形する。
【００８１】
上述したように、突出部１２０Ｓの領域ＡＯは接触体Ｃに向かって水平方向に変位しつつ剪断変形する。この水平方向の変位や剪断変形により、第２種の溝底部１４０Ｂに立設された側面１２４は、溝底辺１４２で折れ曲がって、第２種の溝底部１４０Ｂ（水平方向）に対して角度θ１で傾く（図６Ｂ参照）。角度θ１は、直角よりも大きい角度である。
【００８２】
図６Ｂに示したように、接触体Ｃによって突出部１２０Ｓが軽く押圧された状態では、内側の領域ＡＩのみが圧縮変形する。一方、図７Ｂに示すように、この圧縮変形は、第１種の溝底部１４０Ａを挟んで隣り合う２つの突出部１２０Ｓの外側の辺ＯＬを有する側面（以下、外側側面ＯＳと称する。）まで伝達される。圧縮変形が外側側面ＯＳまで伝達されることで、図７Ｂの白抜きの矢印で示すように、外側側面ＯＳに近い第１種の溝底部１４０Ａに立設された側面１２４は互いに近づくように水平方向に変位しつつ変形（剪断変形）する。図７Ｂに示すように、この水平方向の変位や剪断変形により、第１種の溝底部１４０Ａに立設された側面１２４は、溝底辺１４２で折れ曲がって、第１種の溝底部１４０Ａ（水平方向）に対して角度Θ１で傾く。角度Θ１は、直角よりも小さい角度である。
【００８３】
＜強く押圧されているとき（大きく変形しているとき）＞
図６Ｃに示すように、接触体Ｃによって突出部１２０が強く押圧された状態では、接触体Ｃは、中間の領域ＡＭと内側の領域ＡＩとの双方の領域まで接触する。この状態では、接触体Ｃが接触している中間の領域ＡＭ及び内側の領域ＡＩの双方の領域が、接触体Ｃの外形に応じて変形する。図６Ｃに示すように、強く押圧された状態では、突出部１２０（第２のウレタンフォームＵ２）だけでなくベース１１０（第１のウレタンフォームＵ１）も圧縮変形する。
【００８４】
図６Ｃの白抜きの矢印で示すように、突出部１２０Ｓの上面１２２の外側の領域ＡＯは、接触体Ｃ（基点１６０Ｓ）に向かってさらに水平方向に変位するとともに、中間の領域ＡＭの変形に応じて傾斜して剪断変形する。外側の領域ＡＯの剪断変位により、第２種の溝底部１４０Ｂに立設された側面１２４は、溝底辺１４２で折れ曲がって、第２種の溝底部１４０Ｂ（水平方向）に対して角度θ１よりも大きい角度θ２で傾く。接触体Ｃによる圧縮変形によって溝底辺１４２で折れ曲がって側面１２４が傾くので、第２種の溝底部１４０Ｂを挟んで隣接する突出部１２０Ａ（図６Ｃ参照）に圧縮変形を伝達しにくくできる。すなわち、特定の複合突出部１７０Ｓの弾性変形を、隣接する別の複合突出部１７０に伝達しにくくできる。このため、特定の複合突出部１７０Ｓのみで身体を支持でき、押圧された複合突出部１７０毎に弾性変形させることで、圧縮変形の連動を妨げて、身体全体が沈み込むことを防止することができるとともに、接触体Ｃに対応する肩や肘は深く沈みこむ。
【００８５】
また、図６Ａ〜図６Ｃに示すように、第１種の溝底部１４０Ａの溝１３０の幅は、接触体Ｃと接触する過程でほとんど変化しない。このため、身体の一部が突出部１２０Ｓと接触する接触面積が変化しても、変化の過程で身体の皮膚が引っ張られたり寄せ集められたりすることがなく、皮膚との接触状態を一定にすることができる。
【００８６】
さらに、図６Ｃに示したように、接触体Ｃによって突出部１２０Ｓが強く押圧された状態では、中間の領域ＡＭと内側の領域ＡＩとの双方の領域は大きく圧縮変形する。一方、図７Ｃに示すように、この大きな圧縮変形が２つの外側側面ＯＳまで伝達されることで、外側側面ＯＳに近い第１種の溝底部１４０Ａに立設された２つの側面１２４は、さらに近づき、水平方向に変位しつつ変形（剪断変形）する。突出部１２０Ｓの上部（辺ＯＬの近く）では、第１種の溝底部１４０Ａを挟んで向かい合う２つの突出部１２０Ｓが押圧しあう（図７ＣのＰＰの箇所）。図７Ｃに示すように、この水平方向の変位や剪断変形により、第１種の溝底部１４０Ａに立設された側面１２４は、溝底辺１４２でさらに折れ曲がり、第１種の溝底部１４０Ａ（水平方向）に対して角度Θ１よりも小さい角度Θ２で傾く。
【００８７】
複合突出部１７０Ｓの基点１６０Ｓから角部１７２Ｓに放射状に向かう６本の第１種の溝底部１４０Ａが形成されていない場合には、隣り合う２つ突出部１２０Ｓは密着して一体的に形成され、２つ突出部１２０Ｓが変位したり変形したりするための空間が確保されていない。このため、接触体Ｃによる圧縮変形が外側の領域ＡＯに伝達されても、圧縮変形に対応して変形できず、圧縮変形で生ずる歪みを十分に吸収することができない。このように、圧縮変形で生ずる歪みを外側の領域ＡＯで十分に吸収できないため、接触体Ｃが接触している中間の領域ＡＭ及び内側の領域ＡＩでは、接触体Ｃの沈み込みに対する反発が大きくなる。
【００８８】
一方、複合突出部１７０Ｓの基点１６０Ｓから角部１７２Ｓに放射状に向かう６本の第１種の溝底部１４０Ａを形成したことにより、隣り合う２つ突出部１２０Ｓが変形するための空間を確保することができる。このため、接触体Ｃによる圧縮変形を外側の領域ＡＯに伝達することで、圧縮変形で生ずる歪みを十分に吸収することができる。圧縮変形で生ずる歪みを外側の領域ＡＯで吸収できるので、接触体Ｃが接触している中間の領域ＡＭ及び内側の領域ＡＩで、接触体Ｃの沈み込みに対する反発が小さくすることができる。
【００８９】
このように、第１種の溝底部１４０Ａを形成することで、接触体Ｃによる圧縮変形によって生ずる歪みを隣り合う２つ突出部１２０Ｓの変形で吸収できる。すなわち、図５Ｂに示すように、中間の領域ＡＭ及び内側の領域ＡＩが、接触体Ｃの形状に応じて圧縮変形するに従って、外側の領域ＡＯは、母線が曲線である錐体の側面の形状のように剪断変形する。このように、外側の領域ＡＯの剪断変形によって接触体Ｃによる圧縮変形を吸収できるので、中間の領域ＡＭ及び内側の領域ＡＩにおいて接触体Ｃの沈み込みに対する反発を小さくすることができる。接触体Ｃの沈み込みに対する反発を小さくすることによって、接触体Ｃを深く沈み込ませ、複合突出部１７０Ｓに含まれる６個の突出部１２０Ｓによって接触体Ｃを包み込むようにして安定的に保持することができる。
【００９０】
なお、複合突出部１７０の基点１６０の付近が押圧された場合に、接触体Ｃをより深く沈み込ませることができ、最も好ましいが、内側の領域ＡＩや中間の領域ＡＭが押圧された場合であっても接触体Ｃを適宜に沈み込ませることができる。
【００９１】
＜＜＜第２の実施の形態＞＞＞
第２の実施の形態によるマットレストッパー２００は、後述するように、連結部２２６を有し、連結部２２６によって隣り合う突出部２２０が連結されている。この点を除いて、第２の実施の形態によるマットレストッパー２００は、第１の実施の形態によるマットレストッパー１００と同様の構成を有する。
【００９２】
第１の実施の形態によるマットレストッパー１００では、直線状の溝１３０が形成され、第２の実施の形態によるマットレストッパー２００では、Ｙ字状の溝２３０が形成されている。これは、連結部２２６を形成したことによって生ずる相違である。
【００９３】
以下に、第１の実施の形態によるマットレストッパー１００と第２の実施の形態によるマットレストッパー２００との対応関係を述べる。
【００９４】
ベース１１０と上面１１２と下面１１４とは、第１の実施の形態によるマットレストッパー１００と共通する。また、第１のウレタンフォームＵ１と第２のウレタンフォームＵ２と内側の領域ＡＩと外側の領域ＡＯと中間の領域ＡＭも第１の実施の形態によるマットレストッパー１００と共通する。
【００９５】
一方、突出部２２０は突出部１２０に対応し、上面２２２は上面１２２に対応し、側面２２４は側面１２４に対応し、頂点２２６は頂点１２６に対応し、溝２３０は溝１３０に対応し、溝底部２４０は溝底部１４０に対応し、溝底辺２４２は溝底辺１４２に対応し、基点２６０は基点１６０に対応し、複合突出部２７０は複合突出部１７０に対応し、角部２７２は角部１７２に対応する。
【００９６】
図８は、第２の実施の形態によるマットレストッパー２００の全体を示す斜視図である。図９は、マットレストッパー２００の全体を示す平面図である。図１０は、図９に示したＡ−Ａ’及びＢ−Ｂ’部分の拡大平面図である。図１１は、図１０に示したＣ−Ｃの拡大断面図（図１１Ａ）及びＤ−Ｄの拡大断面図（図１１Ｂ）である。以下では、図８〜図１１を参照して、マットレストッパー２００の構成を説明する。
【００９７】
マットレストッパー２００は、第１の実施の形態によるマットレストッパー１００と同様に、ベッドに設けられるマットレス（図示せず）の上面に載置される。
【００９８】
図８及び図１１に示すように、第１の実施の形態によるマットレストッパー１００と同様に、マットレストッパー２００は、第１のウレタンフォームＵ１及び第２のウレタンフォームＵ２の２種類によって一体的に形成されている。マットレストッパー２００の下側が第１のウレタンフォームＵ１で構成され、マットレストッパー２００の上側が第２のウレタンフォームＵ２で構成されている。
【００９９】
＜ベース１１０＞
ベース１１０は第１のウレタンフォームＵ１で構成される。ベース１１０は、第１の実施の形態と同様の構成を有する。また、ベース部１１０の上面１１２には第２のウレタンフォームＵ２と第１のウレタンフォームＵ１が重ねられて、第１のウレタンフォームＵ１側がベース１１０の上面１１２に貼り合わされてマットレストッパー２００は構成されている。
【０１００】
＜突出部２２０＞
図８や図１２に示すように、突出部２２０は、おおよそ三角柱状の形状を有する。第１の実施の形態の突出部１２０と異なり、独立した三角柱状の形状ではなく、後述する連結部２２６によって、隣り合う突出部２２０と連結されている。突出部２２０は、連結部２２６によって隣り合う突出部２２０と連結されている点を除いて、第１の実施の形態の突出部１２０と同様の構成を有する。
【０１０１】
図１１に示すように、突出部２２０は上面２２２と側面２２４とを有する。図８及び図９に示すように、突出部２２０は、ベース１１０の上面１１２の全面に亘って形成されている。
【０１０２】
＜上面２２２＞
図９及び図１０などに示すように、突出部２２０の上面２２２は、平坦な面で、連結部２２６を除いておおよそ正三角形の形状を有する。上面２２２は、正三角形である必要はなく、例えば、二等辺三角形でもよい。また、上面２２２の各辺は、直線である必要はなく曲線で構成されてもよい。
【０１０３】
上面２２２に力が加えられていないときには、平坦な形状でおおよそ正三角形の形状を有する。上面２２２は、力が加えられると変形する。上面２２２は、押圧されたときに、上面２２２を押圧する物体の形状や押圧する力などに応じて変形する。
【０１０４】
＜側面２２４＞
図１０などに示すように、側面２２４は、柱体である突出部２２０の側面である。突出部２２０は、連結部２２６を除いておおよそ三角柱状の形状を有し、側面２２４は３つある。３つの側面２２４の各々は、連結部２２６の部分を除いて長方形状の形状を有する。
【０１０５】
上面２２２に力が加えられていないときには、突出部２２０は、自然状態でおおよそ三角柱状の形状であり、３つの側面２２４は平坦で長方形状の形状を有する。上面２２２に力が加えられていない状態では、３つの側面２２４の各々と上面２２２とのなす角は直角である。
【０１０６】
上面２２２に力が加えられたときには、３つの側面２２４は変形する。例えば、上面２２２が押圧されたときには、突出部２２０は主に圧縮変形する。上面２２２に力が加えられたときには、突出部２２０の変形に応じて、３つの側面２２４の各々と上面２２２とのなす角は直角以外の角度になることができる。
【０１０７】
＜連結部２２６＞
図１０に示すように、第２の実施の形態によるマットレストッパー２００では、第１の実施の形態の頂点１２６に相当する箇所に連結部２２６が設けられている。突出部２２０の上面２２２の３つの頂点の各々に連結部２２６が設けられている。
【０１０８】
＜溝２３０＞
第２の実施の形態によるマットレストッパー２００では、Ｙ字状の複数の溝２３０が形成されている。図８、図９、図１０及び図１１などに示すように、溝２３０は、隣り合って離隔する２つの突出部２２０の間に形成される領域であり、隣接する２つの突出部２２０の間に介在する領域である。溝２３０の外形は、突出部２２０の形状に応じて規定され、直線状の形状だけでなく曲線状の形状でもよい。溝２３０は、隣り合う２つの突出部２２０の側面に挟まれる領域である。
【０１０９】
図８及び図９に示すように、溝２３０は、マットレストッパー２００の全体に亘って形成されている。図９に示すように、溝２３０は、水平方向に沿って形成された溝２３０ａと、水平方向に対して６０度をなして形成された溝２３０ｂと、水平方向に対して１２０度をなして形成された溝２３０ｃとを有する。溝２３０ａ、２３０ｂ及び２３０ｃは、形成された向きが異なるだけで構成は同じである。以下では、単に溝２３０と称する。
【０１１０】
溝２３０の幅は、隣り合う２つの突出部２２０の側面２２４の間隙の長さによって定まる。溝２３０の幅は突出部２２０の変形によって変化する。突出部２２０が変形していないときには、自然状態であり、隣り合う突出部２２０の側面２２４は平行であり、溝２３０の幅は一定となる。また、突出部２２０が変形しているときには、溝２３０の幅は、変形の状態や度合いに応じて変化する。
【０１１１】
溝２３０の幅は、自然状態で一定である場合に限られず、突出部２２０の側面２２４の形状に応じて溝２３０の幅が異なる形状でもよい。例えば、徐々に広がったり狭まったりする形状でもよい。
【０１１２】
溝２３０の深さは、突出部２２０の高さである。すなわち、溝２３０の深さは、突出部２２０の側面の高さによって定まる。溝２３０の深さも、突出部２２０の変形によって変化する。突出部２２０が変形していないときには、自然状態であり、溝２３０の深さは、一定である。また、突出部２２０が変形しているときには、溝２３０の深さは、変形の状態や度合いに応じて変化する。突出部２２０が圧縮されると、突出部の側面が収縮し溝の深さは短くなる。
【０１１３】
溝２３０の深さは、自然状態で一定である場合に限られず、突出部２２０の形状やマットレストッパーに形成された位置などに応じて深さが異なったり徐々に変化したりするようにしてもよい。
【０１１４】
図１１Ａ及び図１１Ｂに示すように、溝２３０は、第２のウレタンフォームＵ２だけでなく、第１のウレタンフォームＵ１に達するまで形成されている。突出部２２０の上面２２２から下面１１４に向かって第１のウレタンフォームＵ１と第２のウレタンフォームＵ２との境界面Ｂを通過して、第１のウレタンフォームＵ１同士を貼りあわせた、貼りあわせ面まで形成されている。溝２３０の深さは、必ずしも境界面Ｂを通過する必要はなく、境界面Ｂまでであってもよい。この場合、ベース１１０の上面１１２に貼りあわせたウレタンフォームは、第１のウレタンフォームを貼りあわせた構造とせず、第２のウレタンフォームのみで構成すればよい。溝２３０の深さは、第１のウレタンフォームＵ１及び第２のウレタンフォームＵ２の変形のし易さに応じて決定すればよい。
【０１１５】
溝２３０は、隣り合う突出部２２０が、変形する際に互いに近づいたり離れたりし易くするための緩衝領域である。溝２３０を設けたことにより、身体の形状や体重などに応じて突出部２２０を十分に変形させることができる。
【０１１６】
溝２３０の側面は、隣り合う突出部２２０の側面である。向かい合う２つの側面２２４によって溝２３０の側面が構成される。すなわち、隣り合う２つの第１の突出部２２０及び第２の突出部２２０の間に介在する溝２３０の側面は、第１の突出部２２０の第１の側面２２４及び第２の突出部２２０の第２の側面２２４である。第１の突出部２２０の第１の側面２２４と第２の突出部２２０の第２の側面２２４との間隔によって溝２３０の幅が定まる。
【０１１７】
＜溝底部２４０＞
図１１Ａ及び図１１Ｂに示すように、溝底部２４０は、溝２３０の底の部分であり、ベース１１０の一部である。溝底部２４０は、隣り合う突出部２２０の側面２２４によって挟まれたベース１１０の一部の領域であり、互いに向かい合う側面２２４の間の領域によって画定される。すなわち、側面２２４は、溝底部２４０（ベース１１０）に突設（立設）される。
【０１１８】
突出部２２０が押圧されたときには、突出部２２０の変形が伝達して溝底部２４０も変形する場合がある。溝底部２４０の変形は、ベース１１０をなす第１のウレタンフォームＵ１の変形である。突出部２２０が圧縮変形されてベース１１０に変形が伝達された場合には、ベース１１０も圧縮変形する。
【０１１９】
図１１Ａ及び図１１Ｂに示すように、溝底部２４０と側面２２４とが接触する辺を溝底辺２４２と称する。突出部２２０に力が加えられていない自然状態では、溝底部２４０と側面２２４とのなす角は直角である。後述するように、突出部２２０に力が加えられた状態では、側面２２４が溝底辺２４２で屈曲し、溝底部２４０と側面２２４とのなす角が、直角とは異なる角度になることができる。突出部２２０が圧縮変形されると、側面２２４が溝底辺２４２で屈曲して変形し、溝底部２４０と側面２２４との間が広がった場合には、溝底部２４０と側面２２４とのなす角は直角よりも大きくなる。また、突出部２２０が圧縮されて側面２２４が傾いて、溝底部２４０と側面２２４との間が狭まった場合には、溝底部２４０と側面２２４とのなす角は直角よりも小さくなる。
【０１２０】
＜隣り合う突出部２２０と溝２３０との関係＞
上述したように、第２の実施の形態では、隣り合う突出部２２０は溝２３０を介して形成されている。この第２の実施の形態では、隣り合う突出部２２０の一部が連結部２２６によって連結されており、全ての溝２３０は連通しておらず、非連通の箇所が存在する。
【０１２１】
＜基点２６０＞
第２の実施の形態でも、図１０に示すように、放射状に広がる６本の溝２３０（後述する第１種の溝底部２４０Ａに対応）は１つの基点２６０を中心にして配置される。言い換えれば、放射状に広がる６本の溝２３０は１つの基点２６０に向かって配置される。全ての溝２３０が連通する場合には、放射状に広がる６本の溝の全てが基点２６０まで到達し交差する。第２の実施の形態の場合、放射状に広がる６本の溝２３０の内、３本の溝２３０が基点２６０に連通し、残りの３本が基点２６０付近に設けられた連結部２２６により基点２６０に連通しない。このように、６本の溝２３０は、基点２６０を中心にして放射状に広がるように配向する。
【０１２２】
＜複合突出部２７０＞
上述したように、放射状に広がる６本の溝２３０は、基点２６０を中心にして配向する。同様に、放射状に広がる６本の溝の各々を挟む突出部２２０も基点２６０を中心に配置されている。基点２６０を中心に周回する６個の突出部２２０を一組にして複合突出部２７０が構成される（図１０に示す六角形の破線参照）。
【０１２３】
複合突出部２７０に含まれる６個の突出部２２０の各々の上面２２２は正三角形の形状を有し、正三角形の３つの頂点のうちの１つの頂点が基点２６０に向かう。複合突出部２７０に含まれる突出部２２０の上面２２２の正三角形の３つの辺のうちの基点２６０から最も離れた外側の辺を辺ＯＬと称する。複合突出部２７０の輪郭は、複合突出部２７０に含まれる６個の突出部２２０の辺ＯＬを仮想的に連結して画定される。複合突出部２７０は、６つの角部２７２を有する六角形状の形状を有する。なお、図１０では、明確にするために、複合突出部２７０を示す六角形の破線を、辺ＯＬから離隔して示した。
【０１２４】
＜角部２７２＞
複合突出部２７０の角部２７２は、複合突出部２７０に含まれ隣り合う２つの突出部２２０の外側の辺ＯＬを仮想的に連結することで生ずる箇所であり、屈曲する箇所である。このように、角部２７２は仮想的な屈曲点である
【０１２５】
複合突出部２７０の隣り合う２つの突出部２２０の間に存在する溝２３０（後述する第１種の溝底部２４０Ａに対応）が基点２６０から複合突出部２７０の角部２７２に向かう。すなわち、複合突出部２７０に含まれる６本の溝２３０は、全て、基点２６０から複合突出部２７０の角部２７２に向かう。図７で説明したように、複合突出部２７０に含まれる６つの突出部２２が、基点２６０を中心に圧縮変形されたときには、溝底辺２４２で折れ曲がって突出部２２０が変形することができる。複合突出部２７０に含まれる突出部２２０の数又は溝２３０の数によって複合突出部２７０の角部２７２の数が決定される。
【０１２６】
＜第１種の溝底部２４０Ａ及び第２種の溝底部２４０Ｂ＞
マットレストッパー２００には多数の突出部２２０が形成され、６個の突出部２２０からなる複合突出部２７０も複数の組み合わせがある。図１０に示すように、複数の複合突出部２７０のうちのある１つの複合突出部２７０（以下、特定の複合突出部２７０Ｓと称する。）に着目した場合に、溝底部２４０を、第１種の溝底部２４０Ａ及び第２種の溝底部２４０Ｂに分類することができる。また、以下では、特定の複合突出部２７０Ｓに含まれる６個の突出部２２０の各々を突出部２２０Ｓと称する（図１０参照）。
【０１２７】
第１種の溝底部２４０Ａは、特定の複合突出部２７０Ｓに含まれる基点２６０（以下、基点２６０Ｓと称する。）から角部２７２（以下、角部２７２Ｓと称する。）に向かって配置される溝底部２４０である。すなわち、第１種の溝底部２４０Ａは、複合突出部２７０Ｓの基点２６０Ｓから角部２７２Ｓに放射状に向かう６本の溝底部２４０である。
【０１２８】
第２種の溝底部２４０Ｂは、複合突出部２７０Ｓの輪郭に沿って配置される溝底部２４０である。すなわち、おおよそ六角形状の複合突出部２７０Ｓの輪郭に沿って配置された６本の溝底部２４０である。
【０１２９】
＜突出部２２０の変形（マットレストッパー２００に身体が載置されたとき）＞
上述したように、第２の実施の形態によるマットレストッパー２００は、連結部２２６によって隣り合う突出部２２０が連結されている点を除いて、第１の実施の形態によるマットレストッパー１００と同様の構成を有する。
【０１３０】
第１の実施の形態によるマットレストッパー１００では、直線状の溝１３０が形成され、第２の実施の形態によるマットレストッパー２００では、Ｙ字状の溝２３０が形成されている。これは、連結部２２６を形成したことによって生ずる相違である。
【０１３１】
このような相違があっても、連結部２２６は溝２３０の長さに対して非常に短い範囲としているので、突出部２２０の変形は、第１の実施の形態によるマットレストッパー１００と同様に変形することができる。具体的な変形は、第１の実施の形態の図５、図６及び図７の説明と同様である。
【０１３２】
第２の実施の形態によるマットレストッパー２００でも、第１種の溝底部２４０Ａを形成することで、接触体Ｃによる基点２６０を中心とした圧縮変形によって生ずる歪みを隣り合う２つ突出部２２０Ｓの変形で吸収できる。すなわち、図１２Ｂに示すように、中間の領域ＡＭ及び内側の領域ＡＩが、接触体Ｃの形状に応じて圧縮変形するに従って、外側の領域ＡＯは、母線が曲線である錐体の側面の形状のように剪断変形する。このように、外側の領域ＡＯの剪断変形によって接触体Ｃによる圧縮変形を吸収できるので、中間の領域ＡＭ及び内側の領域ＡＩにおいて接触体Ｃの沈み込みを大きくできる。接触体Ｃの沈み込みを大きくすることによって、複合突出部２７０Ｓに含まれる６個の突出部２２０Ｓによって接触体Ｃを包み込むようにして安定的に保持することができる。
【０１３３】
＜＜＜その他の実施の形態＞＞＞
図１３及び図１４は、その他の実施の形態を示す平面図である。
【０１３４】
図１３Ａに示すように、全ての溝６３０の中央部に連結部６２６を形成してもよい。このようにしても基点６６０及び角部６７２を画定できる。
【０１３５】
さらに、図１３Ｂに示すように、一部の溝６３０の中央部に連結部６２６を形成してもよい。また、溝の中央部や端だけでなく、中央部や端からずれた位置に連結部を設けてもよい。
【０１３６】
図１４Ａに示すように、Ｙ字状の溝３３０に連結部３２６を形成してもよい。このようにすることで、溝３３０ｂ及び３３０ｃのみを連続に形成し、溝３３０ａのみを分離して形成することができる。
【０１３７】
また、図１４Ｂに示すように、Ｙ字状の溝４３０に連結部４２６を形成してもよい。このようにすることで、溝４３０ａ、４３０ｂ及び４３０ｃの全てを分離して形成することができる。
【０１３８】
さらに、図１４Ｃに示すように、溝５３０ａ、５３０ｂ及び５３０ｃが平行ではなく、曲面によって溝が構成され、溝５３０の幅が場所によって異なるように構成してもよい。
【符号の説明】
【０１３９】
１００、２００  マットレストッパー
１１０  ベース
１１２  上面
１１４  下面
１２０、２２０  突出部
１２２、２２２  上面
１２４、２２４  側面
１２６  頂点
２２６  連結部
１３０、２３０、３３０、４３０、５３０  溝
１４０、２４０  溝底部
１４０Ａ、２４０Ａ  第１種の溝底部
１４０Ｂ、２４０Ｂ  第２種の溝底部
１４２、２４２  溝底辺
１６０、２６０  基点
１７０、２７０  複合突出部
１７２、２７２  角部
Ｕ１  第１のウレタンフォーム
Ｕ２  第２のウレタンフォーム
ＡＩ  内側の領域
ＡＯ  外側の領域
ＡＭ  中間の領域
【図１】
0006717592.tif 000002
【図２】
0006717592.tif 000003
【図３】
0006717592.tif 000004
【図４】
0006717592.tif 000005
【図５】
0006717592.tif 000006
【図６】
0006717592.tif 000007
【図７】
0006717592.tif 000008
【図８】
0006717592.tif 000009
【図９】
0006717592.tif 000010
【図１０】
0006717592.tif 000011
【図１１】
0006717592.tif 000012
【図１２】
0006717592.tif 000013
【図１３】
0006717592.tif 000014
【図１４】
0006717592.tif 000015